(57)【要約】 【課題】  食材などの物品から生じたドリップなどの液体を吸収し、その吸収した液体を物品に付着することを防止でき、さらに、物品を乗戴しても高い通気性を保持することができる吸収マットを提供することを目的とする。【解決手段】  吸収マット１１は、貫通孔１４が全面にわたって形成されるメッシュ層１２と、メッシュ層１２の一表面に積層され、液体を吸収する吸収層１３とを含んで構成される。このメッシュ層１２には、吸収層１３が積層された一表面とは反対側の他表面から突出する突出部１５を有する。吸収マット１１に物品２２を乗戴させると、突出部１５の最も突出した部分に保持される。【選択図】      図２
2008012867.tif 000002
【特許請求の範囲】
【請求項１】
貫通孔が全面にわたって形成されるメッシュ層と、
前記メッシュ層の一表面に積層され、液体を吸収する吸収層とを含み、
前記メッシュ層は、前記一表面とは反対側の他表面から突出する突出部を有することを特徴とする吸収マット。
【請求項２】
隣り合う突出部の最も突出した部分間の距離が、１ｍｍ以上１０ｍｍ以下であることを特徴とする請求項１記載の吸収マット。
【請求項３】
前記メッシュ層の前記貫通孔の前記一表面に臨む開口は、前記他表面に臨む開口よりも開口面積が小さいことを特徴とする請求項１または２記載の吸収マット。
【発明の詳細な説明】
【技術分野】
【０００１】
本発明は、食材などの物品から生じたドリップなどの液体を吸収するために好適に用いることができる吸収マットに関する。
【背景技術】
【０００２】
物品であるたとえば肉類および魚介類などの生鮮食品として市販されているフィーレなどの食材は、発泡合成樹脂からなるトレイに乗載され、ラップフィルムによって梱包されている。このような食材からは、時間の経過とともにドリップが生じ、トレイの底部に溜まる。このドリップには細菌が付着して繁殖し易く、このようなドリップが食材に付着すると、食材の腐敗の原因となり、また食材の質が低下してしまうため、ドリップを食材に接触させないために、トレイにはドリップを吸収するための吸収マットを敷設している。
【０００３】
典型的な従来の技術では、ドリップと食材との接触を防止するために、不織布の吸収層からなる吸収マットをトレイと食材との間に介在させ、食材から流れ出たドリップを吸収することができるように構成される。
【０００４】
このような吸収マットでは、少量のドリップしか吸収することができないので、その吸収マットの吸収することができる量を超えて多量のドリップが生じた場合、この吸収することのできなかったドリップが、吸収マットと食材との間に保持されてしまう。したがって食材とドリップとが常に接触し、上記のように食材の腐敗および質の低下が生じるという不具合がある。またこの吸収マットにドリップが吸収された状態であっても、吸収マットの表面にはドリップが露出しているので、この吸収マットに吸収されなかったドリップだけでなく、吸収マットに吸収されたドリップであっても食材に接触するという不具合が生じる。
【０００５】
他の従来の技術としては、たとえば、特許文献１に記載されている。特許文献１のドリップ吸収マットは、ドリップを吸収する吸収シート体と、この吸収シート体の上側に配置され、食材に接する多孔状表面シート体とを積層した構成を有する。
【０００６】
【特許文献１】特開２００２−３０２１８２号公報
【発明の開示】
【発明が解決しようとする課題】
【０００７】
特許文献１によると、ドリップ吸収マットは、多孔状表面シート体を介して食材から生じるドリップを吸収シート体に吸収させることができる。吸収シート体を表面シート体が覆っているので、吸収シート体に吸収されたドリップが、食材に付着することを防止することができる。しかしながら、吸収シート体に食材を乗戴し、ドリップが吸収されると、吸収シート体を介した通気が阻害されるので、通気性が低下する。
【０００８】
本発明の目的は、食材などの物品から生じたドリップなどの液体を吸収し、その吸収した液体を物品に付着することを防止でき、さらに、物品を乗戴しても高い通気性を保持することができる吸収マットを提供することである。
【課題を解決するための手段】
【０００９】
本発明は、貫通孔が全面にわたって形成されるメッシュ層と、
前記メッシュ層の一表面に積層され、液体を吸収する吸収層とを含み、
前記メッシュ層は、前記一表面とは反対側の他表面から突出する突出部を有することを特徴とする吸収マットである。
【００１０】
また本発明は、隣合う突出部の最も突出した部分間の距離が、１ｍｍ以上１０ｍｍ以下であることを特徴とする。
【００１１】
また本発明は、前記メッシュ層の前記貫通孔の前記一表面に臨む開口は、前記他表面に臨む開口よりも開口面積が小さいことを特徴とする。
【発明の効果】
【００１２】
本発明によれば、貫通孔が全面にわたって形成されるメッシュ層と、メッシュ層の一表面に積層され、液体を吸収する吸収層とを含む吸収マットであり、メッシュ層は、一表面とは反対側の他表面から突出する突出部を有する。
【００１３】
この吸収マットは、吸収層が積層されている一表面とは反対側の他表面に食材などの物品を乗戴すると、メッシュ層を介して食材などの物品から生じるドリップなどの液体を吸収層に吸収させることができる。
【００１４】
メッシュ層は、物品と接する他表面から突出する突出部を有するので、物品を突出部で保持し、物品とメッシュ層との間に空間が形成される。この吸収マットは、物品とメッシュ層との間に空間が形成されるので、物品を乗戴しても、高い通気性を保持することができる。
【００１５】
吸収層は、メッシュ層に覆われており、さらに、物品とメッシュ層との間に空間が形成されるので、荷重下においても吸収層に吸収された液体が、物品に直接接触することがなく、吸収層に吸収された液体の物品への付着を防止することができる。
【００１６】
以上より、この吸収マットは、食材などの物品から生じたドリップなどの液体を吸収し、その吸収した液体を物品に付着することを防止でき、さらに、高い通気性を保持することができる吸収マットである。
【００１７】
また本発明によれば、隣合う突出部の最も突出した部分間の距離が、１ｍｍ以上１０ｍｍ以下であることが好ましい。そうすると、隣合う突出部の間のメッシュ層に物品が接触しないように隣合う突出部で物品を保持することができる。したがって、物品とメッシュ層との間に、より広い空間が形成され、より高い通気性が実現される。
【００１８】
また本発明によれば、メッシュ層の貫通孔は、一表面に臨む開口は、他表面に臨む開口よりも開口面積が小さいことが好ましい。メッシュ層に形成される貫通孔は、物品と接する他表面の開口面積が広く、吸収層が積層されている一表面の開口面積が狭い。したがって、メッシュ層の他表面に保持されている液体は、メッシュ層に載置された物品とメッシュ層の他表面との間に保持されにくいので、効率よく吸収層に排出し、吸収させることができる。
【００１９】
前述の各発明の吸収マットは、ドリップなどを吸収する吸収マットとして用いるだけではなく、猫および犬などのペットの排尿を吸収するためのペットシートなどとして用いてもよい。
【発明を実施するための最良の形態】
【００２０】
本発明は、液体を吸収する吸収マットであり、特に肉類および魚介類などの食材から生じるドリップを吸収するために好適に用いられる。
【００２１】
図１は、本発明の第１実施形態である吸収マット１１の表面の一部を示す概略図である。図２は、吸収マット１１の切断面線Ａ−Ａ’から見た断面図である。吸収マット１１は、メッシュ層１２と吸収層１３とを含んで構成される。メッシュ層１２は、不透液性の材料からなる網状層からなり、複数の貫通孔１４が全面にわたって形成される。吸収層１３は、液体を吸収することができる層であり、メッシュ層１２の一表面に積層されている。また、メッシュ層１２は、吸収層１３が積層されている一表面とは反対側の他表面から突出する突出部１５を有する。図１は、吸収マット１１の表面の一部を示しており、吸収マット１１のメッシュ層１２には、図１に示されている貫通孔１４および突出部１５と同様の貫通孔１４および突出部１５が全面にわたって形成されている。
【００２２】
メッシュ層１２は、不透液性であれば、公知の材料からなる層でよく、たとえば、ポリエチレンシートなどの高分子シートが挙げられる。吸収層１３は、液体であるドリップを吸収することができる層であれば、公知の材料からなる層でよく、たとえば、フラッフパルプを含んで構成される。フラッフパルプは、綿状のパルプである。吸収層１３は、メッシュ層１２の一表面に積層した状態で、ホットメルト接着剤などによって接着される。突出部１５は、メッシュ層１２に形成され、貫通孔１４は、隣り合う突出部１５の間に形成される。したがって、突出部１５は、所定の個数の貫通孔１４を、隣り合う突出部１５で挟むようにメッシュ層１２に形成される。本実施形態では、突出部１５は、図１に示す平面形状が、所定の個数の貫通孔１４を囲むような六角形状の突出部である。突出部１５の形状は、六角形状に限らず、たとえば、矩形状であってもよいし、円形状であってもよい。
【００２３】
図３は、吸収マット１１の使用例を示す斜視図である。発泡合成樹脂からなるトレイなどの容器２１に吸収マット１１が戴置され、吸収マット１１に、たとえば肉類および魚類などの食材２２が乗戴され、ラップフィルムによって梱包されている。食材２２からは、時間の経過とともにドリップが生じる。食材２２から流れ出たドリップは、吸収層１３に吸収される。
【００２４】
吸収マット１１に、図３のように食材２２を乗戴すると、その食材２２は、メッシュ層１２の吸収層１３が積層されている一表面とは反対側の他表面に支持される。食材２２から流れ出たドリップは、メッシュ層１２に形成されている貫通孔１４へ導かれ、毛細管現象によって吸収層１３へ迅速に排出される。吸収層１３に排出されたドリップは、吸収層１３に吸収されることによって、吸収マット１１に保持される。
【００２５】
メッシュ層１２は、吸収層１３が積層されている一表面とは反対側の他表面から突出する突出部１５を有するので、図２に示すように、吸収マット１１は、突出部１５の最も突出した部分で食材２２を保持する。そうすると、メッシュ層１２と食材２２との間に空間Ｓ１が形成されるので、食材２２を乗戴しても高い通気性を保持することができる。さらに、メッシュ層１２と食材２２との間に空間Ｓ１が形成されるので、荷重下においても吸収層１３に吸収されたドリップの食材２２への付着を防止することができる。
【００２６】
また、吸収層１３は、メッシュ層１２に形成されている貫通孔１４を介して排出されたドリップを吸収する。吸収層１３は、メッシュ層１２に覆われているので、吸収層１３に吸収されたドリップの食材２２への付着を防止することができる。ドリップは細菌が付着して繁殖し易いが、ドリップの食材２２への付着を防止することができるので、ドリップによる食材２２の腐敗を防ぎ、食材２２の質の低下を防ぐことができる。
【００２７】
突出部１５は、隣り合う突出部１５の最も突出した部分間の距離Ｄが、１ｍｍ以上１０ｍｍ以下であることが好ましく、より好ましくは、１ｍｍ以上５ｍｍ以下である。１ｍｍより小さいと、隣り合う突出部１５間に形成される貫通孔が少なくなるので、通気性が悪くなる。１０ｍｍより大きいと、乗戴された食材２２がメッシュ層１２に接触しやすくなり、メッシュ層１２と食材２２との間に充分な通気性を確保することができる空間Ｓ１を確保することができなくなる。したがって、隣合う突出部１５の間のメッシュ層１２に食材２２が接触しないように隣合う突出部１５で食材２２を保持することができるので、食材２２とメッシュ層１２との間に、より広い空間が形成される。したがって、より高い通気性を保持することができる。隣り合う突出部１５の最も突出した部分間の距離Ｄは、本実施形態では、突出部１５は六角形状であるので、互いに対向する突出部１５の最も突出した部分間の距離である。たとえば、突出部１５の形状が円形である場合、突出部１５の最も突出した部分の直径が、隣り合う突出部１５の最も突出した部分間の距離Ｄに相当する。
【００２８】
突出部１５の高さは、０．１ｍｍ以上２ｍｍ以下であることが好ましく、より好ましくは、０．２ｍｍ以上１ｍｍ以下である。０．１ｍｍより小さいと、メッシュ層１２と食材２２との間に充分な通気性を確保することができる空間Ｓ１を確保することができなくなる。２ｍｍより大きいと、食材２２を乗戴することによって、突出部１５の形状を維持しにくくなる。
【００２９】
突出部１５の幅は、０．１ｍｍ以上１ｍｍ以下であることが好ましく、より好ましくは、０．４ｍｍ以上０．８ｍｍ以下である。０．１ｍｍより小さいと、食材２２を乗戴することによって、突出部１５の形状を維持しにくくなる。１ｍｍより大きいと、隣り合う突出部１５間に形成される貫通孔が少なくなるので、通気性が悪くなる。
【００３０】
貫通孔１４は、吸収層１３が積層されている一表面から食材２２と接する他表面まで貫通した貫通孔であればよいが、メッシュ層１２の一表面に臨む開口が、他表面に臨む開口より小さいことが好ましい。そうすると、メッシュ層１２に形成される貫通孔１４は、食材２２と接する他表面の開口面積が広く、吸収層１３が積層されている一表面の開口面積が狭いことになる。したがって、メッシュ層の他表面に保持されているドリップは、メッシュ層に乗戴された食材２２とメッシュ層１２の他表面との間に保持されにくいので、効率よく吸収層に排出し、吸収させることができる。
【００３１】
食材２２と接する他表面を臨む貫通孔１４の開口の開口径は、０．１ｍｍ以上２ｍｍ以下であることが好ましく、より好ましくは、０．３ｍｍ以上１ｍｍ以下である。０．１ｍｍより小さいと、ドリップを吸収層１３に排出しにくくなり、２ｍｍより大きいと、食材２２を乗戴することによって、吸収層１３に吸収されたドリップが、メッシュ層１２と食材２２との間にまで戻ってきてしまう。
【００３２】
吸収マット１１は、以下のようにして製造する。
ポリエチレンチップを溶融させて、Ｔダイ法などの公知の方法によって、ポリエチレンフィルムを成形する。このポリエチレンフィルムにメッシュ加工を施すことによって、メッシュ層１２を製造する。メッシュ加工は、熱をかけた金属ロールの開口部からポリエチレンフィルムが吸引されポリエチレンフィルムに貫通孔１４が形成される。その後凸部の形成された金属ロールにより突出部１５を形成しメッシュ層１２が製造される。
【００３３】
このメッシュ層１２と吸収層１３とをホットメルト接着剤などで貼り合せることによって、吸収マット１１が製造される。
【００３４】
上記第１実施形態は、所定の個数の貫通孔１４を囲むような突出部１５が形成されている吸収マット１１であるが、突出部１５は、所定の個数の貫通孔１４を囲むような突出部に限定されず、所定の個数の貫通孔１４を挟むように形成されていればよい。たとえば、以下のような直線状の突出部１５で所定の個数の貫通孔１４を挟むように形成される吸収マットであってもよい。
【００３５】
図４は、本発明の第２実施形態である吸収マット４１の表面の一部を示す概略図である。吸収マット４１は、六角形状の突出部１５で所定の個数の貫通孔１４を囲むように形成されるのではなく、直線状の突出部１５で所定の個数の貫通孔１４を挟むように形成されること以外、第１実施形態と同様である。第１実施形態と対応する部分には同一の参照符を付し、重複を避けて説明は省略する。図４は、吸収マット４１の表面の一部を示しており、吸収マット４１のメッシュ層１２には、図４に示されている貫通孔１４および突出部１５と同様の貫通孔１４および突出部１５が全面にわたって形成されている。
【００３６】
吸収マット４１は、食材２２とメッシュ層１２と間に形成される空間が、メッシュ層１２、吸収層１３および食材２２に囲まれることがなく、突出部１５が延びる方向に開放されているので、より高い通気性が実現される。また、突出部１５は、直線状に限らず、たとえば、曲線状であってもよい。
【００３７】
上記第１実施形態および第２実施形態では、同じ高さの突出部１５が形成されている吸収マットであるが、突出部１５は、同じ高さであることに限定されず、以下のような高さの異なる突出部１５が形成されている吸収マットであってもよい。
【００３８】
図５は、本発明の第２実施形態である吸収マット５１の表面の一部を示す概略図である。図６は、吸収マット５１の切断面線Ｂ−Ｂ’から見た断面図である。吸収マット５１は、２つの異なる高さの突出部が形成されること以外、第１実施形態と同様である。第１実施形態と対応する部分には同一の参照符を付し、重複を避けて説明は省略する。
【００３９】
突出部１５は、第１突出部１６および第２突出部１７から構成される。第２突出部１７は、第１突出部１６より高い。貫通孔１４は、隣り合う第１突出部１６の間に形成される。したがって、第１突出部１６は、所定の個数の貫通孔１４を、隣り合う第１突出部１６で挟むようにメッシュ層１２に形成される。本実施形態では、第１突出部１６は、所定の個数の貫通孔１４を囲むような六角形状の突出部である。また、第２突出部１７は、第１突出部１６を、隣り合う第２突出部１７で挟むようにメッシュ層１２に形成される。本実施形態では、第２突出部１７は、所定の個数の六角形状の第１突出部１６を囲むように形成される。図５は、吸収マット５１の表面の一部を示しており、吸収マット５１のメッシュ層１２には、図５に示されている貫通孔１４、第１突出部１６および第２突出部１７と同様の貫通孔１４、第１突出部１６および第２突出部１７が全面にわたって形成されている。
【００４０】
吸収マット５１に、食材２２を乗戴すると、その食材２２は、メッシュ層１２の吸収層１３が積層されている一表面とは反対側の他表面に支持される。メッシュ層１２は、吸収層１３が積層されている一表面とは反対側の他表面に、第１突出部１６および第２突出部１７を有する。吸収マット１１は、第１突出部１６より高い第２突出部１７の最も突出した部分で食材２２を保持する。そうすると、メッシュ層１２と食材２２との間に空間Ｓ２が形成される。したがって、メッシュ層１２と食材２２とが直接接触するのではなく、空間Ｓ２が形成されるので、食材を乗戴しても高い通気性を保持することができる。さらに、食材２２がメッシュ層１２側にたわんでも、第１突出部１６の最も突出した部分で、たわんだ食材２２を保持するので、メッシュ層１２と食材２２との間の空間Ｓ２は保持される。したがって、メッシュ層１２と食材２２とが直接接触するのではなく、空間Ｓ２が形成されるので、食材を乗戴しても高い通気性を保持することができる。さらに、メッシュ層１２と食材２２との間に空間Ｓ２が形成され、メッシュ層１２と食材２２とが直接接触しないので、吸収層１３に吸収されたドリップが、食材２２に直接接触することがなく、吸収層１３に吸収されたドリップの食材２２への付着を防止することができる。
【００４１】
上記第１〜３の実施形態は、食材２２から生じたドリップを吸収するために用いられる吸収マットについて説明したが、ドリップに限らず、物品から生じた液体を吸収させることができる。また、本発明でいう物品は、物品と呼ばれる範疇に限らず、前述の各発明の吸収マットは、物体から生じる液体を吸収することができる。前述の各発明の吸収マットは、ドリップなどを吸収する吸収マットとして用いるだけではなく、猫および犬などのペットの排尿を吸収するためのペットシートなどとして用いることができる。
【００４２】
この吸収マットをペットシートとして使用すると、ペットシートに吸収されたペットの排尿が、ペットの足などに付着することを防止することができ、ペットが動き回っても、ペットシートの周辺を汚すことが少ない。
【実施例】
【００４３】
以下に第１実施形態に対する実施例を示す。
（実施例）
吸収マット１１は、以下のようなメッシュ層１２と吸収層１３とを貼り合せた吸収マットである。
【００４４】
メッシュ層１２は、厚みが２５μｍのポリエチレンフィルムを上記メッシュ加工を施した層である。メッシュ層１２は、隣り合う突出部１５の最も突出した部分間の距離Ｄ１．５ｍｍ、突出部１５の高さ０．３ｍｍ、突出部１５の幅０．６５ｍｍ、メッシュ層１２に形成されている開口の開口径０．４ｍｍである。
【００４５】
吸収層１３は、厚みが６４μｍのパルプとカルボキシル化ＳＢＲ（スチレン−ブタジエンゴム）とからなる層である。
【００４６】
（比較例）
突出部１５が形成されていないこと以外、実施例と同様である。
【００４７】
［評価方法］
実施例および比較例について、保水評価を行った。
【００４８】
保水評価は、以下のように行った。
まず、吸収マットを６５ｃｍ×６０ｃｍにカットし、このカットした吸収マットの中央部の一箇所に１ｇ（１ｍｌ）の水を吸水させた。
【００４９】
次に、この吸水させた吸収マットの上に重量を測定した濾紙を戴置し、さらに、濾紙の上に、１ｋｇの重りを戴置した。濾紙は、（ADVANTEC製、FILTER PAPER、直径１１０ｍｍ）を５０枚重ねて使用した。重りは、鉄製、直径５０ｍｍ、高さ６５ｍｍの円柱形の錘を使用した。
【００５０】
５分後、濾紙の重量を測定し、増加した重量を算出した。
その結果、増加した重量は、実施例が０．１ｇであり、比較例が０．６ｇであった。このことから、吸収マットに吸収されていた水が濾紙に戻った水の量（ウェットバック）が、実施例のほうが比較例より少ないことがわかった。
【００５１】
したがって、突出部を有する吸収マット（実施例）は、突出部を有しない吸収マット（比較例）とは異なり、荷重下においても突出部により空間が保持されることがわかった。突出部を有する吸収マット（実施例）は、この空間によって、高い通気性が確保できると考えられる。
【図面の簡単な説明】
【００５２】
【図１】本発明の第１実施形態である吸収マット１１の表面の一部を示す概略図である。
【図２】吸収マット１１の切断面線Ａ−Ａ’から見た断面図である。
【図３】吸収マット１１の使用例を示す斜視図である。
【図４】本発明の第２実施形態である吸収マット４１の表面の一部を示す概略図である。
【図５】本発明の第２実施形態である吸収マット５１の表面の一部を示す概略図である。
【図６】吸収マット５１の切断面線Ｂ−Ｂ’から見た断面図である。
【符号の説明】
【００５３】
１１，４１，５１  吸収マット
１２  メッシュ層
１３  吸収層
１４  貫通孔
１５  突出部
１６  第１突出部
１７  第２突出部
２１  容器
２２  食材
【図１】
2008012867.tif 000003
【図２】
2008012867.tif 000004
【図３】
2008012867.tif 000005
【図４】
2008012867.tif 000006
【図５】
2008012867.tif 000007
【図６】
2008012867.tif 000008